(57)【要約】【課題】催事（結婚披露宴など）中に撮影した画像等に、定形コンテンツなどを合成して生成した編集コンテンツをその場で表示して、感動を高めるための演出を容易に行なうことができるコンテンツ編集・表示システムを提供する。【解決手段】催事に関連した定形のコンテンツデータが保存された第１メモリ８と、催事の当事者側から提供されたオリジナルのコンテンツデータが保存された第２メモリ９と、催事の最中に撮影した画像を含む新規のコンテンツデータが保存された第３メモリ１０と、前記定形のコンテンツデータ、オリジナルのコンテンツデータ及び新規のコンテンツデータ内に有している複数のコンテンツの中から任意に選択された少なくとも２つのコンテンツを合成して、編集コンテンツを生成する編集処理部１１と、この編集コンテンツを表示するプロジェクタ装置４を備えている。【選択図】図３
2011030014.tif 000002
【特許請求の範囲】
【請求項１】
催事に関連した定形のコンテンツデータが複数保存された第１の記憶手段と、
前記催事の当事者側から事前に提供された画像を含む前記当事者のオリジナルのコンテンツデータが複数保存された第２の記憶手段と、
前記催事の最中に撮影した前記当事者の画像を含む新規のコンテンツデータが複数保存された第３の記憶手段と、
前記第１の記憶手段から読み出した前記定形のコンテンツデータ、前記第２の記憶手段から読み出した前記オリジナルのコンテンツデータ及び前記第３の記憶手段から読み出した前記新規のコンテンツデータ内にそれぞれ有している複数のコンテンツの中から任意に選択された少なくとも２つ以上のコンテンツを合成して、編集コンテンツを生成するコンテンツ編集処理手段と、
前記コンテンツ編集処理手段で生成された前記編集コンテンツを表示する表示手段と、を備えたことを特徴とするコンテンツ編集・表示システム。
【請求項２】
前記編集コンテンツは、前記定形のコンテンツデータから選択した任意の１つ又は複数のコンテンツと、前記新規のコンテンツデータ又は前記オリジナルのコンテンツデータから選択した任意の１つのコンテンツとが合成されていることを特徴とする請求項１に記載のコンテンツ編集・表示システム。
【請求項３】
前記編集コンテンツに重ねる字幕データが生成される字幕データ生成手段を有し、前記字幕データ生成手段で生成された前記字幕データは、前記編集コンテンツに重ねられた状態で前記表示手段で表示されることを特徴とする請求項１又は２に記載のコンテンツ編集・表示システム。
【請求項４】
前記第１の記憶手段から読み出した前記定形のコンテンツデータ、前記第２の記憶手段から読み出した前記オリジナルのコンテンツデータ及び前記第３の記憶手段から読み出した前記新規のコンテンツデータをそれぞれ切替えて、各コンテンツデータ内にそれぞれ有している複数のコンテンツの一覧を表示する第１表示画面領域と、
前記第１表示画面領域に表示された前記複数のコンテンツの中から任意に選択された少なくとも２つ以上のコンテンツをそれぞれ表示可能な複数の第２表示画面領域と、
前記第２表示画面領域に表示された前記少なくとも２つ以上のコンテンツを合成して生成された前記編集コンテンツを表示する第３表示画面領域とが画面上に設けられたモニタ装置を有していることを特徴とする請求項１乃至３のいずれか一項に記載のコンテンツ編集・表示システム。
【発明の詳細な説明】
【技術分野】
【０００１】
本発明は、結婚披露宴などの各種の催事において、演出効果を高めるために、複数のコンテンツを編集して、編集したコンテンツを表示装置で表示を行なうコンテンツ編集・表示システムに関する。
【背景技術】
【０００２】
例えば、結婚披露宴をホテル等で行なう場合、最近では、結婚披露宴の最中に（新郎新婦の両親等への挨拶時などに）、例えば、予め提供されている新郎新婦の過去の映像（静止画や動画）などに字幕（新郎新婦の両親への感謝のメッセージなど）を重ねたコンテンツ等をプロジェクタからスクリーンに大きく表示して、参列者の感動を高めるための演出が行なわれている。
【０００３】
表示するコンテンツは、従来では例えば、下記の特許文献１のようにＤＶＤなどの記録媒体に予め記録しておき、結婚披露宴の最中に再生して表示するものである。
【先行技術文献】
【特許文献】
【０００４】
【特許文献１】特開２００５−３５４４７４号公報
【発明の概要】
【発明が解決しようとする課題】
【０００５】
ところで、前記特許文献１の発明では、結婚披露宴当日よりも前に新郎新婦側から提供された画像データ、字幕データ等を取り込んで編集したコンテンツをＤＶＤ等に記録する必要がある。このため、結婚披露宴当日にコンテンツ内の画像を別の画像に入れ替えて表示することができなかった。
【０００６】
また、例えば、結婚披露宴の最後の方に行なわれる新郎新婦の両親等への挨拶時などにおいて、この結婚披露宴中の新郎新婦などを撮影した画像に、定形コンテンツ（例えば、結婚式や披露宴をイメージさせる風景画像（静止画や動画）や文字、画面周囲を縁取るデコレーションフレームなど）を合成したり、字幕（新郎新婦の両親への感謝のメッセージなど）等を重ねて生成したコンテンツをプロジェクタからスクリーンに大きく表示すれば、参列者の感動をより高めるような演出を行なうことができるが、前記特許文献１の発明のように、予めコンテンツをＤＶＤ等に記録する構成では不可能であった。
【０００７】
そこで、本発明は、例えば、結婚披露宴中の新郎新婦などを撮影した画像に、定形コンテンツなどを合成して生成した編集コンテンツ（字幕が重ねられている編集コンテンツも含む）をその場で表示して、感動を高めるための演出を容易に行なうことができるコンテンツ編集・表示システムを提供することを目的とする。
【課題を解決するための手段】
【０００８】
前記目的を達成するために本発明に係るコンテンツ編集・表示システムは、催事に関連した定形のコンテンツデータが複数保存された第１の記憶手段と、前記催事の当事者側から事前に提供された画像を含む前記当事者のオリジナルのコンテンツデータが複数保存された第２の記憶手段と、前記催事の最中に撮影した前記当事者の画像を含む新規のコンテンツデータが複数保存された第３の記憶手段と、前記第１の記憶手段から読み出した前記定形のコンテンツデータ、前記第２の記憶手段から読み出した前記オリジナルのコンテンツデータ及び前記第３の記憶手段から読み出した前記新規のコンテンツデータ内にそれぞれ有している複数のコンテンツの中から任意に選択された少なくとも２つ以上のコンテンツを合成して、編集コンテンツを生成するコンテンツ編集処理手段と、前記コンテンツ編集処理手段で生成された前記編集コンテンツを表示する表示手段と、を備えたことを特徴としている。
【発明の効果】
【０００９】
本発明に係るコンテンツ編集・表示システムによれば、第１の記憶手段から読み出した定形のコンテンツデータ、第２の記憶手段から読み出したオリジナルのコンテンツデータ及び第３の記憶手段から読み出した新規のコンテンツデータ内にそれぞれ有している複数のコンテンツの中から任意に選択された少なくとも２つ以上のコンテンツを合成して、編集コンテンツを生成することにより、生成した編集コンテンツを催事（結婚披露宴など）中に表示手段で表示することができる。これにより、催事の参列者の感動をより高めるような演出を容易に行なうことができる。
【図面の簡単な説明】
【００１０】
【図１】本発明の実施形態に係るコンテンツ編集・表示システムの構成を示すブロック図。
【図２】コンテンツ編集装置の構成を示すブロック図。
【図３】装置本体の構成を示すブロック図。
【図４】モニタ装置の画面上の各表示画面領域を示す図。
【図５】本発明の実施形態に係るコンテンツ編集・表示システムによる編集コンテンツの編集処理及び表示処理を示すフローチャート。
【図６】（ａ）、（ｂ）、（ｃ）は、生成される編集コンテンツの編集処理時におけるモニタ装置の画面上の各表示画面領域に表示されたコンテンツの一例を示す図。
【図７】編集コンテンツに重ねられる字幕の一例を示す図。
【発明を実施するための形態】
【００１１】
以下、本発明を図示の実施形態に基づいて説明する。図１は、本発明の実施形態に係るコンテンツ編集・表示システムの構成を示すブロック図である。なお、本実施形態では、各種の催事の一例として、結婚披露宴での感動演出を高めるために用いるコンテンツ編集・表示システムに適用した例について説明する。
【００１２】
図１に示すように、本実施形態に係るコンテンツ編集・表示システム１は、表示するためのコンテンツを編集（合成）するコンテンツ編集装置２と、コンテンツ編集装置２で編集（合成）されたコンテンツ（以下、「編集コンテンツ」という）をスクリーン３に表示するためのプロジェクタ装置４を備えている。
【００１３】
図２に示すように、コンテンツ編集装置２は、装置本体５と、キーボードやマウス等の入力操作部６と、ＬＣＤ（液晶モニタ）等のモニタ装置７を有している。
【００１４】
装置本体５は、図３に示すように、結婚披露宴に関連した複数の定型のコンテンツデータ（以下、「定形コンテンツ」という）を保存している第１メモリ８と、結婚披露宴を行なう新郎新婦などから事前に提供された画像を含む複数のオリジナルのコンテンツデータ（以下、「オリジナルコンテンツ」という）を保存する第２メモリ９と、デジタルカメラなどにより結婚披露宴の最中に撮影した画像を含む複数の新規のコンテンツデータ（以下、「新規コンテンツ」という）を読み込んで保存する第３メモリ１０と、後述する選択した複数のコンテンツを合成して編集コンテンツを生成する編集処理部１１と、編集処理部１１で生成された編集コンテンツを保存する第４メモリ１２と、字幕の入力処理を行う字幕入力処理部１３と、入力処理した字幕データを保存する第５メモリ１４と、第１〜第５メモリ８、９、１０、１２、１４に対するデータの書き込み／読み出し処理を制御するメモリコントローラ１５と、第４メモリ１２に保存された編集コンテンツをプロジェクタ装置４へ出力するプロジェクタ出力部１６と、モニタ装置７に画像（前記定形コンテンツ、オリジナルコンテンツ、新規コンテンツ、編集コンテンツ、字幕など）を表示させるための表示画像制御部１７と、ＲＯＭ１８に記憶された制御プログラムに基づいて装置本体５全体の動作を制御するシステム制御部（ＣＰＵ）１９を備えている。
【００１５】
第１メモリ８に保存されている定形コンテンツは、例えば、結婚式や披露宴をイメージさせる風景画像（静止画や動画）や文字、画面周囲を縁取るデコレーションフレームなどのコンテンツである。
【００１６】
第２メモリ９に保存されたオリジナルコンテンツは、例えば、結婚披露宴を行なう新郎新婦側が予め用意した新郎新婦の子供のときや成人式などに撮影した過去の思い出の画像（静止画や動画）等である。この画像は、例えば、メモリカード等の記録媒体に記録して、この記録媒体を装置本体５のデータ取込み部（不図示）に装着することで取り込むことができる。
【００１７】
第３メモリ１０に保存された新規コンテンツは、式場のスタッフ等がデジタルカメラなどにより結婚披露宴の最中に撮影した新郎新婦などの画像（静止画や動画）である。この画像は、例えば、メモリカード等の記録媒体に記録して、この記録媒体を装置本体５のデータ取込み部（不図示）に装着することで直に取り込むことができる。
【００１８】
モニタ装置７の画面上には、図４に示すように、後述する編集コンテンツ生成時においては、定形コンテンツ、オリジナルコンテンツ、新規コンテンツのうちの選択されたコンテンツが有しているコンテンツ一覧を表示する一覧表示画面領域２０ａと、一覧表示画面領域２０ａから選択した任意のコンテンツをそれぞれ表示する３つの第１、第２、第３コンテンツ表示画面領域２０ｂ，２０ｃ，２０ｄと、第１、第２、第３コンテンツ表示画面領域２０ｂ，２０ｃ，２０ｄにそれぞれ表示されたコンテンツを合成して生成された編集コンテンツを表示する編集コンテンツ表示画面領域２０ｅが設定される。
【００１９】
次に、上記したコンテンツ編集・表示システム１による編集コンテンツの編集処理及び表示処理を、図５に示すフローチャートを参照して説明する。
【００２０】
結婚披露宴の最中において、式場のスタッフ等（以下、「オペレータ」という）がデジタルカメラなどで撮影した新郎新婦などの画像（静止画や動画）をメモリカード等の記録媒体に記録して、この記録媒体を装置本体５のデータ取込み部（不図示）に装着することで取り込む。これにより、この画像（新規コンテンツ）がメモリコントローラ１５を介して第３メモリ１０に保存される（ステップＳ１）。この際、前記したように、第１メモリ８には定形コンテンツが、第２メモリ９にはオリジナルコンテンツがそれぞれ保存されている。
【００２１】
そして、オペレータが入力操作部６を操作して、前記定形コンテンツ、オリジナルコンテンツ、新規コンテンツのいずれかを選択すると、図６（ａ）に示すように、モニタ装置７の画面上の一覧表示画面領域２０ａに、例えば、定形コンテンツ内にある複数のコンテンツ２１が一覧表示される（ステップＳ２）。なお、図６（ａ）では、一覧表示画面領域２０ａの各コンテンツ２１の内容は省略しているが、実際には各コンテンツ２１の内容が表示される。また、コンテンツ切替え操作を行なうことで、オリジナルコンテンツと新規コンテンツ内にある複数のコンテンツも同様にそれぞれ一覧表示することができる。
【００２２】
このように、定形コンテンツ、オリジナルコンテンツ、新規コンテンツのいずれかを選択して、一覧表示画面領域２０ａにコンテンツ一覧を表示することで、オペレータは表示された各コンテンツを確認しながらコンテンツ選択操作を容易に行なうことができる。
【００２３】
なお、モニタ装置７の画面が大きい場合は、一覧表示画面領域２０ａに前記定形コンテンツ、オリジナルコンテンツ、新規コンテンツ内の全てのコンテンツを同時に表示するようにしてもよい。
【００２４】
そして、オペレータが一覧表示画面領域２０ａに一覧表示された、例えば、第１メモリ８から読み出した定形コンテンツを確認しながら、入力操作部６の操作によって任意のコンテンツ（例えば、画面周囲を縁取るデコレーションフレーム）を選択すると、図６（ａ）に示すように、この選択したコンテンツ（以下、「第１コンテンツ」という）がモニタ装置７の画面上の第１コンテンツ表示画面領域２０ｂに表示される。この際、編集コンテンツ表示画面領域２０ｅにもこの選択した第１コンテンツが表示される。
【００２５】
その後、同様にして、オペレータが一覧表示画面領域２０ａに一覧表示された、例えば、第１メモリ８から読み出した定形コンテンツを確認しながら、入力操作部６の操作によって任意のコンテンツ（例えば、英文字（Wedding）を選択すると、図６（ｂ）に示すように、この選択したコンテンツ（以下、「第２コンテンツ」という）がモニタ装置７の画面上の第２コンテンツ表示画面領域２０ｃに表示される。この際、編集コンテンツ表示画面領域２０ｅには、第１コンテンツに第２コンテンツが合成されて表示される。
【００２６】
更に、同様にして、オペレータが一覧表示画面領域２０ａに一覧表示された、例えば、第３メモリ１０から読み出した新規コンテンツを確認しながら、入力操作部６の操作によって任意のコンテンツ（例えば、新郎新婦の静止画）を選択すると、図６（ｃ）に示すように、この選択したコンテンツ（以下、「第３コンテンツ」という）がモニタ装置７の画面上の第３コンテンツ表示画面領域２０ｄに表示される。この際、編集コンテンツ表示画面領域２０ｅには、この第３コンテンツが第１コンテンツ、第２コンテンツに合成されて生成された編集コンテンツａが表示される（ステップＳ３）。
【００２７】
このように、第１、第２、第３コンテンツ表示画面領域２０ｂ，２０ｃ，２０ｄにそれぞれ選択した任意のコンテンツ（第１〜第３コンテンツ）が表示されるので、オペレータは、選択した各コンテンツ（第１〜第３コンテンツ）を確認しながら編集（合成）作業を容易に行なうことができる。更に、合成されて生成された編集コンテンツを編集コンテンツ表示画面領域２０ｅで予め確認することができる。
【００２８】
そして、オペレータは、編集コンテンツ表示画面領域２０ｅに表示された編集コンテンツａで良いと判断した場合には、入力操作部６の操作により、この編集コンテンツａをメモリコントローラ１５を介して第４メモリ１２に保存する（ステップＳ４）。なお、複数の編集コンテンツを生成する場合は、前記ステップＳ３、Ｓ４の処理を繰り返す。前記ステップＳ２、Ｓ３でのコンテンツ編集処理は、編集処理部１１で実行される。
【００２９】
そして、プロジェクタ装置４からスクリーン３に表示（投影）する前記編集コンテンツに、例えば、新郎新婦から両親への感謝のメッセージなどの字幕を重ねて表示したい場合（ステップＳ５：ＹＥＳ）、図７に示すように、オペレータの入力操作部６の操作により、字幕入力処理部１３での処理によって字幕（メッセージ）２２がモニタ装置７の画面上に表示される（ステップＳ６）。字幕のフォント、サイズ、色等は任意に設定することができる。この字幕データはメモリコントローラ１５を介して第５メモリ１４に保存される（ステップＳ７）。
【００３０】
そして、例えば、結婚披露宴の最後の方に行なわれる新郎新婦の両親等への挨拶時などにおいて、オペレータの入力操作部６の操作により、編集コンテンツの表示指令がシステム制御部１９に入力されると、第４メモリ１２に保存された編集コンテンツのデータがプロジェクタ出力部１６からプロジェクタ装置４に出力される（ステップＳ８）。
【００３１】
この際、ステップＳ６で字幕（メッセージ）が入力処理されている場合は、第５メモリ１４から読み出した字幕データを編集コンテンツのデータに重ねるようにして、プロジェクタ出力部１６からプロジェクタ装置４に出力される。なお、編集コンテンツに字幕を重ねて表示しない場合（ステップＳ５：ＮＯ）、編集コンテンツのデータのみがプロジェクタ出力部１６からプロジェクタ装置４に出力される。
【００３２】
そして、プロジェクタ装置４は、入力された編集コンテンツ（字幕が重ねられている編集コンテンツも含む）のデータに基づいて、編集コンテンツ（例えば、図６（ｃ）の編集コンテンツ表示画面領域２０ｅに表示された編集コンテンツａ）をスクリーン６に表示（投影）する（ステップＳ９）。なお、定形コンテンツから選択した結婚披露宴に関連のあるコンテンツと、オリジナルコンテンツ（例えば、新郎新婦の子供のときや成人式などに撮影した過去の思い出の画像）とを合成して生成された編集コンテンツを、この結婚披露宴中にプロジェクタ装置４からスクリーン６に表示してもよい。
【００３３】
また、表示する編集コンテンツを複数生成している場合は、オペレータの入力操作部６の操作、あるいは予め設定した時間間隔で順に切替えながら表示される。
【００３４】
このように、本実施形態のコンテンツ編集・表示システム１は、例えば、定形コンテンツから選択した結婚披露宴に関連のあるコンテンツ（画面周囲を縁取るデコレーションフレーム、英文字など）と、新規コンテンツから選択した任意のコンテンツ（この結婚披露宴中に撮影した新郎新婦などの画像（静止画や動画）とをすぐにその場で編集（合成）して、生成した編集コンテンツ（字幕が重ねられている編集コンテンツも含む）を、この結婚披露宴中にプロジェクタ装置４からスクリーン６に表示することができる。これにより、結婚披露宴中に撮影した新郎新婦などの画像を単に表示する場合に比べて、画像を引き立てるような装飾を容易に行うことができるので、参列者の感動をより高めるような演出を行なうことができる。
【００３５】
更に、本実施形態のコンテンツ編集・表示システム１は、モニタ装置７の画面上の第１、第２、第３コンテンツ表示画面領域２０ｂ，２０ｃ，２０ｄにそれぞれ選択した任意のコンテンツを表示させることにより、これらのコンテンツが合成されて生成された編集コンテンツが編集コンテンツ表示画面領域２０ｅに表示されて確認することができ、そして、この編集コンテンツのデータをプロジェクタ装置４に出力して表示（投影）させるだけでよいので、式場のスタッフや結婚披露宴の参列者などの高度な知識と技術を有していない一般の人でも容易に、かつ素早く編集コンテンツを合成（編集）して、この編集コンテンツを結婚披露宴中に表示することができる。
【００３６】
なお、プロジェクタ装置４から編集コンテンツをスクリーン６に表示するときに、同時に結婚披露宴を盛り上げるような音楽を流したり、ライトアップされた照明で会場内の雰囲気を盛り上げるようにしてもよい。
【００３７】
また、前記実施形態のコンテンツ編集・表示システム１では、モニタ装置７の画面上に３つのコンテンツ表示画面領域を設けた構成であったが、これに限らず、モニタ装置７の画面上に２つ或いは４つ以上のコンテンツ表示画面領域を設けて、これらのコンテンツ表示画面領域にそれぞれ選択したコンテンツを表示して、編集コンテンツ表示画面領域２０ｅにこれらのコンテンツを合成して生成された編集コンテンツを表示するようにしてもよい。
【００３８】
なお、前記した実施形態では、本発明に係るコンテンツ編集・表示システムを結婚披露宴での感動演出を高めるために用いた例であったが、これに限らず、例えば、誕生日パーテー、謝恩会、記念式典等の各種の催事においても、同様に適用して感動演出を高めることができる。
【符号の説明】
【００３９】
１        コンテンツ編集・表示システム
２        コンテンツ編集装置
３        スクリーン
４        プロジェクタ装置（表示手段）
５        装置本体
６        入力操作部
７        モニタ装置
８        第１メモリ（第１の記憶手段）
９        第２メモリ（第２の記憶手段）
１０      第３メモリ（第３の記憶手段）
１１      編集処理部（コンテンツ編集処理手段）
１２      第４メモリ
１３      字幕入力処理部（字幕データ生成手段）
１４      第５メモリ
１９      システム制御部
２０ａ    一覧表示画面領域（第１表示画面領域）
２０ｂ    第１コンテンツ表示画面領域（第２表示画面領域）
２０ｃ    第２コンテンツ表示画面領域（第２表示画面領域）
２０ｄ    第３コンテンツ表示画面領域（第２表示画面領域）
２０ｅ    編集コンテンツ表示画面領域（第３表示画面領域）
【図１】
2011030014.tif 000003
【図２】
2011030014.tif 000004
【図３】
2011030014.tif 000005
【図４】
2011030014.tif 000006
【図５】
2011030014.tif 000007
【図６】
2011030014.tif 000008
【図７】
2011030014.tif 000009